(57)【要約】【課題】再エンコードをなくすことで録画や再生が長時間不能となる事態や画質の劣化を解消し、ダビング時のフォーマット変換処理も不要として迅速なダビングが行えるようにする。【解決手段】ハードディスク１１の記録領域を、光ディスク２１ａ〜２１ｃの最大記録容量である４．７ＧＢの単位で複数の分割領域Ａ、Ｂ、Ｃ、…Ｎにあらかじめ区分けし、各分割領域Ａ、Ｂ、Ｃ、…Ｎへ４．７ＧＢの範囲を超えないように情報を記録する。また、ハードディスク１１と光ディスク２１ａ〜２１ｃにおける情報記録のためのアプリケーションフォーマットを同一のものとする。これにより、それぞれの分割領域Ａ、Ｂ、Ｃ、…Ｎは１枚の光ディスクと等価なものとなり、各分割領域の情報を光ディスク２１ａ〜２１ｃへそのまま移動またはコピーして記録するだけでダビングを行うことができる。【選択図】　　図２
0003097988.tif 000002
【実用新案登録請求の範囲】
【請求項１】
ハードディスクに対して情報を記録するハードディスクドライブと、記録型の光ディスクに対して情報を記録する光ディスクドライブとを備え、ハードディスクの情報を光ディスクへ記録することが可能な情報記録装置において、
ハードディスクの記録領域が、光ディスクの最大記録容量の単位で、論理的または物理的に複数の分割領域にあらかじめ区分けされており、
前記ハードディスクに情報を記録するためのアプリケーションフォーマットが、前記光ディスクに情報を記録する際に用いるアプリケーションフォーマットと同一であり、
前記ハードディスクドライブがハードディスクに情報を記録する際に、予約録画とタイマー録画の場合は、記録しようとする分割領域の残容量と録画時間とに応じた記録レートを設定し、この記録レートに従って、前記複数の分割領域のそれぞれに対して、当該領域の容量である光ディスクの最大記録容量の範囲を超えないように録画を行い、通常の録画の場合は、前記複数の分割領域のそれぞれに対して、当該領域の容量である光ディスクの最大記録容量の範囲を超えれば録画を停止するか又は他の領域に続けて録画を行い、
ハードディスクから光ディスクへダビングを行う際に、ダビングしようとする情報が記録されたハードディスクの分割領域を指定することに基づいて、前記光ディスクドライブが、指定された分割領域に記録された情報を１枚の光ディスクへそのまま移動またはコピーして記録することを特徴とする情報記録装置。
【請求項２】
第１のメディアに対して情報を記録する第１のドライブと、前記第１のメディアよりも記録容量の小さい第２のメディアに対して情報を記録する第２のドライブとを備え、第１のメディアの情報を第２のメディアへ記録することが可能な情報記録装置において、
第１のメディアの記録領域が、第２のメディアの最大記録容量の単位で複数の分割領域にあらかじめ区分けされており、
前記第１のメディアに情報を記録するためのアプリケーションフォーマットが、前記第２のメディアに情報を記録する際に用いるアプリケーションフォーマットと同一であり、
前記第１のドライブが第１のメディアに情報を記録する際に、前記複数の分割領域のそれぞれに対して、当該領域の容量である第２のメディアの最大記録容量の範囲を超えないように情報を記録し、
第１のメディアから第２のメディアへダビングを行う際に、前記第２のドライブが、第１のメディアの１つの分割領域に記録された情報を１枚の第２のメディアへそのまま移動またはコピーして記録することを特徴とする情報記録装置。
【請求項３】
請求項２に記載の情報記録装置において、
第１のメディアから第２のメディアへダビングを行う際に、ダビングしようとする情報が記録された第１のメディアの分割領域を指定することに基づいて、当該分割領域に記録された情報を第２のメディアへ記録することを特徴とする情報記録装置。
【請求項４】
請求項２または請求項３に記載の情報記録装置において、
第１のメディアに情報を記録する際に、予約録画とタイマー録画の場合は、記録しようとする分割領域の残容量と録画時間とに応じた記録レートを設定し、この記録レートに従って、前記複数の分割領域のそれぞれに対して、当該領域の容量である第２のメディアの最大記録容量の範囲を超えないように録画を行うことを特徴とする情報記録装置。
【請求項５】
請求項２または請求項３に記載の情報記録装置において、
第１のメディアに情報を記録する際に、通常の録画の場合は、前記複数の分割領域のそれぞれに対して、当該領域の容量である第２のメディアの最大記録容量の範囲を超えれば録画を停止するか又は他の領域に続けて録画を行うことを特徴とする情報記録装置。
【請求項６】
請求項２ないし請求項５のいずれかに記載の情報記録装置において、
第１のメディアがハードディスクであり、第２のメディアが記録型の光ディスクであることを特徴とする情報記録装置。
【請求項７】
請求項６に記載の情報記録装置において、
ハードディスクに情報を記録するためのアプリケーションフォーマットと、光ディスクに情報を記録する際に用いるアプリケーションフォーマットが、ともにＤＶＤ−Ｖｉｄｅｏフォーマットであることを特徴とする情報記録装置。
【考案の詳細な説明】
【０００１】
【考案の属する技術分野】
本考案は、ハードディスク内蔵型ＤＶＤレコーダのような情報記録装置に関するものである。
【０００２】
【従来の技術】
ハードディスク内蔵型のＤＶＤレコーダを用いてテレビの番組等を録画する場合、ハードディスクの容量には限りがあることから、録画した番組等を一旦ハードディスクに保存した後、必要なものだけをＤＶＤ−Ｒ、ＤＶＤ−ＲＡＭ、ＤＶＤ−ＲＷのような記録型のＤＶＤにダビングする使い方が一般的である。ハードディスクから光ディスクへダビングを行う先行技術に関しては、例えば下記の特許文献１がある。
【０００３】
【特許文献１】
特開２００２−２４５７１７号公報
【０００４】
【考案が解決しようとする課題】
ところで、上述した記録型ＤＶＤの最大記録容量は４．７ＧＢであり、ハードディスクからこれらの光ディスクへ情報を書き込む場合、情報の容量が４．７ＧＢ以下であれば問題ないが、４．７ＧＢを超える場合はデータの圧縮が必要となり、ダビングの際に再エンコードの処理が行われる。しかるに、この再エンコードには、ダビングするコンテンツの再生時間と同じだけの時間がかかり、しかも再エンコードはバックグラウンドでは実行できないために、数時間にもわたって録画も再生もできない状態が続くこととなり、ユーザにとってはきわめて不便であった。さらには、再エンコードによって画質の劣化を招くという問題もあった。
【０００５】
そこで、このような再エンコードを避けようとすれば、ダビングするタイトル数を減らして２枚以上のメディアに分けるか、あるいは編集作業を行うかのいずれかを選択することになるが、前者の場合はメディアが余分に必要となり、ダビングの回数も増えるという難点がある。また、後者の場合はメディアの数は増えないが、編集のための作業が非常に複雑になるという問題がある。
【０００６】
また、従来のハードディスク内蔵型ＤＶＤレコーダにあっては、図８に示したように、ハードディスク５１に情報を記録するためのアプリケーションフォーマットと、光ディスク（記録型ＤＶＤ）５２に情報を記録する際に用いるアプリケーションフォーマットとが別物となっている。すなわち、光ディスク５２のアプリケーションフォーマットがＤＶＤ−Ｖｉｄｅｏフォーマットであるのに対し、ハードディスク５１のアプリケーションフォーマットは、ハードディスク用にカスタマイズされた独自のフォーマットとなっている。このため、ハードディスク５１から光ディスク５２へダビングを行う際に、フォーマット変換処理が必要となる。
【０００７】
一方、前記の特許文献１には、ハードディスクに情報を記録する際に、光ディスクへの記録が可能なように、情報を複数のファイルとして分割記録することが記載されている。図９はこれを模式的に示したものである。録画をする場合、ハードディスク６１には、複数のファイルＡ、Ｂ、Ｃに情報が自動的に分割記録される。ここで、各ファイルＡ、Ｂ、Ｃの最大容量は、記録型ＤＶＤ６２の最大容量である４．７ＧＢに設定されているため、これらのファイルを光ディスク６２へ記録するにあたって、４．７ＧＢを超えることは生じなくなる。しかしながら、前述したように、従来はハードディスク６１のアプリケーションフォーマットと、光ディスク６２のアプリケーションフォーマットとが別物であるため、本文献のものにおいても、ダビングを行う際のフォーマット変換処理は不可避であり、その分だけ処理が遅くなるという問題がある。
【０００８】
本考案は、上記のような課題を解決するものであり、その目的とするところは、再エンコードをなくすことで録画や再生が長時間不能となる事態や画質の劣化を解消できるとともに、ダビング時のフォーマット変換処理も不要として迅速なダビングが行える情報記録装置を提供することにある。
【０００９】
【課題を解決するための手段】
本考案では、第１のメディアに対して情報を記録する第１のドライブと、第１のメディアよりも記録容量の小さい第２のメディアに対して情報を記録する第２のドライブとを備え、第１のメディアの情報を第２のメディアへ記録することが可能な情報記録装置において、第１のメディアの記録領域が、第２のメディアの最大記録容量の単位で複数の分割領域にあらかじめ区分けされている。また、第１のメディアに情報を記録するためのアプリケーションフォーマットが、第２のメディアに情報を記録する際に用いるアプリケーションフォーマットと同一となっている。そして、第１のドライブが第１のメディアに情報を記録する際に、複数の分割領域のそれぞれに対して、当該領域の容量である第２のメディアの最大記録容量の範囲を超えないように情報を記録する。さらに、第１のメディアから第２のメディアへダビングを行う際に、第２のドライブが、第１のメディアの１つの分割領域に記録された情報を１枚の第２のメディアへそのまま移動またはコピーして記録する。
【００１０】
このようにすることで、第１のメディアの分割領域に記録された情報は、第２のメディアの最大記録容量の範囲内にあるので、第１のメディアから第２のメディアへダビングを行う際に、容量オーバーによる再エンコードは全く発生しなくなる。その結果、長時間にわたって録画や再生ができなくなる事態や、画質が劣化するという問題が解消される。また、第１のメディアと第２のメディアのアプリケーションフォーマットが同一であることから、第１のメディアにおける複数の分割領域は、第２のメディアと等価なものとして取り扱うことができる。このため、ダビングにあたっては、第１のメディアの情報を第２のメディアへそのまま移動またはコピーするだけでよく、フォーマット変換処理が不要となる。
【００１１】
また、本考案においては、第１のメディアから第２のメディアへダビングを行う際に、ダビングしようとする情報が記録された第１のメディアの分割領域を指定することに基づいて、当該分割領域に記録された情報を第２のメディアへ記録する。これによると、分割領域に複数のタイトルが記録されている場合であっても、１つずつタイトルを指定してダビングリストを作成した後に録画モードを指定してダビングを行うといった煩雑な操作が不要となり、タイトル数にかかわらず簡単な操作でダビングを行うことができる。
【００１２】
また、本考案においては、第１のメディアに情報を記録する際に、予約録画とタイマー録画の場合は、記録しようとする分割領域の残容量と録画時間とに応じた記録レートを設定し、この記録レートに従って、複数の分割領域のそれぞれに対して、当該領域の容量である第２のメディアの最大記録容量の範囲を超えないように録画を行う。これにより、事前に算出された記録レートに従って、第１のメディアの分割領域には、常に第２のメディアの最大記録容量の範囲内で情報が記録される。
【００１３】
また、本考案においては、第１のメディアに情報を記録する際に、通常の録画の場合は、複数の分割領域のそれぞれに対して、当該領域の容量である第２のメディアの最大記録容量の範囲を超えれば録画を停止するか又は他の領域に続けて録画を行う。これにより、通常録画時においても、第１のメディアの分割領域には、常に第２のメディアの最大記録容量の範囲内で情報が記録される。
【００１４】
本考案の典型的な実施形態においては、第１のメディアはハードディスクであり、第２のメディアは記録型の光ディスクである。この場合、ハードディスクに情報を記録するためのアプリケーションフォーマットと、光ディスクに情報を記録する際に用いるアプリケーションフォーマットを、ともにＤＶＤ−Ｖｉｄｅｏフォーマットとすることにより、装置間での互換性を持たせることができ、本考案に係る装置でダビングした光ディスクを他の装置で再生したりすることが可能となる。
【００１５】
【考案の実施の形態】
図１は、本考案に係る情報記録装置の一例であるハードディスク内蔵型ＤＶＤレコーダ１００のブロック図を示している。１は記録するビデオ信号をデジタル信号に変換するビデオＡ／Ｄコンバータ、２は記録するオーディオ信号をデジタル信号に変換するオーディオＡ／Ｄコンバータ、３は再生したビデオ信号をアナログ信号に変換するビデオＤ／Ａコンバータ、４は再生したオーディオ信号をアナログ信号に変換するオーディオＤ／Ａコンバータである。５は記録するビデオ信号およびオーディオ信号をＭＰＥＧ２形式のデータにエンコードするＭＰＥＧ２エンコーダ、６は再生するＭＰＥＧ２形式のビデオ信号およびオーディオ信号をデコードするＭＰＥＧ２デコーダである。７は映像や音声のストリームを制御するストリーム制御部、８は以上の各部を制御するマイクロプロセッサからなるコントローラである。９はインターフェイスであって、ハードディスクドライブ（第１のドライブ）１０と、光ディスクドライブ２０（第２のドライブ）とが接続されており、ハードディスク１１の情報を光ディスク２１へ記録することが可能となっている。１１はハードディスクドライブ１０に備わるハードディスク（第１のメディア）、２１は光ディスクドライブ２０により情報の記録再生が行われる光ディスク（第２のメディア）である。光ディスク２１は、ＤＶＤ−Ｒ、ＤＶＤ−ＲＡＭ、ＤＶＤ−ＲＷのような記録型ＤＶＤからなる。なお、ハードディスク１１の最大記録容量は例えば１２０ＧＢであり、光ディスク２１の最大記録容量は４．７ＧＢである。
【００１６】
図２は、ハードディスク１１の記録領域を示した模式図である。ハードディスク１１の記録領域は、光ディスク２１の最大記録容量の４．７ＧＢ単位で、論理的または物理的に複数の分割領域Ａ、Ｂ、Ｃ、…Ｎにあらかじめ区分けされている。論理的に分割する場合は、ファイルシステム上のタグ情報によりディレクトリを分けることで分割領域が形成され、物理的に分割する場合は、領域毎のセクタアドレス範囲を決めてパーティションを分けることで分割領域が形成される。これらの分割方法はいずれも公知であるから、詳細については省略する。
【００１７】
Ａ１、Ａ２は分割領域Ａに記録されたタイトル、Ｂ１は分割領域Ｂに記録されたタイトル、Ｃ１、Ｃ２、Ｃ３は分割領域Ｃに記録されたタイトルを示している。ハードディスク１１にこれらの情報を記録する場合は、複数の分割領域Ａ、Ｂ、Ｃ、…Ｎのそれぞれに対して、４．７ＧＢを超えないように情報が記録される。すなわち、タイトルＡ１、Ａ２の合計容量、タイトルＢ１の容量、およびタイトルＣ１、Ｃ２、Ｃ３の合計容量は、いずれも４．７ＧＢ以下となっている。
【００１８】
このように、各分割領域Ａ、Ｂ、Ｃ、…Ｎに記録する情報を４．７ＧＢの範囲内に収めるために、ハードディスクドライブ１０がハードディスク１１に情報を記録する際に次のような処理を行う。まず、予約録画とタイマー録画の場合は、録画に要する時間が前もってわかっているので、録画前に、記録しようとする分割領域の残容量をチェックし、残容量と録画時間とに応じた記録レートを設定する。記録レートは、例えば標準録画や高速録画に応じた値となる。そして、この記録レートに従って、分割領域Ａ、Ｂ、Ｃ、…Ｎのそれぞれに対して４．７ＧＢの範囲を超えないように録画を行う。次に、通常の録画の場合は、録画に要する時間は前もってわからないので、分割領域Ａ、Ｂ、Ｃ、…Ｎのそれぞれに対して、４．７ＧＢの範囲を超えれば録画を停止するか、又は他の領域に続けて録画を行う。
【００１９】
ところで、本考案においては、図３に示すように、ハードディスク１１に情報を記録するためのアプリケーションフォーマットが、光ディスク２１に情報を記録する際に用いるアプリケーションフォーマットと同一であり、いずれもＤＶＤ−Ｖｉｄｅｏフォーマットとなっている。これは本考案の重要な特徴の１つであり、前記のようにハードディスク１１の記録領域をそれぞれ４．７ＧＢの分割領域Ａ、Ｂ、Ｃ、…Ｎに区分けした場合に、ハードディスク１１と光ディスク２１のアプリケーションフォーマットを同じにすることで、各分割領域Ａ、Ｂ、Ｃ、…Ｎは、光ディスク２１と等価なものとして取り扱うことができる。なお、図３において、ファイルシステムに関しては、取り扱うメディアによって最適のシステムが異なるため、ハードディスク１１ではハードディスクファイルシステムが採用され、光ディスク２１ではＵＤＦ（Ｕｎｉｖｅｒｓａｌ　Ｄｉｓｋ　Ｆｏｒｍａｔ）が採用されるといったように、ハードディスク１１と光ディスク２１との間で統一はされていないが、このことは本考案において影響を与えるものではない。
【００２０】
上述したように、ハードディスク１１の分割領域Ａ、Ｂ、Ｃ、…Ｎが光ディスク２１と等価なものとなることから、ハードディスク１１から光ディスク２１へのダビングにあたって、ハードディスク１１の情報を光ディスク２１へそのまま移動またはコピーするだけでよく、フォーマット変換処理が不要となる。すなわち、図２のように、分割領域Ａに記録されたタイトルＡ１、Ａ２は、移動またはコピーによってそのまま光ディスク２１ａへ記録され、分割領域Ｂに記録されたタイトルＢ１は、移動またはコピーによってそのまま光ディスク２１ｂへ記録され、分割領域Ｃに記録されたタイトルＣ１、Ｃ２、Ｃ３は、移動またはコピーによってそのまま光ディスク２１ｃへ記録される。
【００２１】
図４〜図７は、ハードディスク１１から光ディスク２１へダビングを行う場合の操作手順の一例を説明する図であって、ＤＶＤレコーダ１００に接続されるモニタ装置（図示省略）に表示される画面を示している。以下、これらの画面を参照して、ダビングの手順を説明する。まず、図４に示す設定画面において、リモコン（図示省略）のカーソルキーを操作して「ＨＤＤ→ＤＶＤダビング」を選択し、決定キーを押す。すると、画面は図５に示すグループ選択画面に切り換わる。ここでは、グループとして５つのハードディスク領域ＨＤＤ１〜ＨＤＤ５が表示されており、例えば、ＨＤＤ１は前述の分割領域Ａに対応し、ＨＤＤ２は分割領域Ｂに対応し、ＨＤＤ３は分割領域Ｃに対応している。
【００２２】
ＨＤＤ１の内容をダビングする場合は、リモコンのカーソルキーで「ＨＤＤ１」を選択し、決定キーを押す。なお、このグループ選択画面においては、グループを選択した後、カーソルキーの操作により、選択したグループの内容を確認することもできる。図５の例では、「ＨＤＤ１」が選択され、分割領域Ａに記録されているタイトルＡ１、Ａ２（ここでは連続ドラマ）の内容が表示されている。
【００２３】
グループが選択されてリモコンの決定キーが押されると、画面は図６に示す確認画面に切り換わる。この確認画面には、移動またはコピーの選択を促すメッセージが表示される。リモコンのカーソルキーで移動またはコピーを選択し、決定キーを押すと、ダビングが開始される。なお、移動の場合は、ハードディスク１１からもとの情報が消去され、コピーの場合はハードディスク１１にもとの情報が残る。図７はダビング中に表示される画面の例である。なお、光ディスク２１が４倍速の場合、ダビングに要する時間は最大で約１５分となる。
【００２４】
このようにして、上記実施形態においては、ハードディスク１１の分割領域Ａ、Ｂ、Ｃ、…Ｎに記録された情報は、常に４．７ＧＢの範囲内にあるので、ハードディスク１１から光ディスク２１へダビングを行う際に、容量オーバーによる再エンコードは全く発生しなくなる。その結果、長時間にわたって録画や再生ができなくなる事態や、画質が劣化するという問題が解消される。
【００２５】
また、ダビングを行う際に、図５に示したように、ダビングしようとする情報が記録されたハードディスク１１の分割領域（図５ではＨＤＤ１）を指定することに基づいて、当該分割領域に記録された情報が光ディスク２１へ記録されるので、分割領域に複数のタイトルが記録されている場合であっても、１つずつタイトルを指定してダビングリストを作成した後に録画モードを指定してダビングを行うといった煩雑な操作が不要となり、タイトル数にかかわらず簡単な操作でダビングを行うことができる。
【００２６】
また、再エンコードの必要が全くないため、ダビングする場合の録画モードは必ず高速モードとなり、わざわざモードを指定する必要もなくなる。さらには、再エンコードのない状態でダビングが行われることから、ダビング中はエンコーダやデコーダが占有される事態が発生せず、ハードディスク１１による裏録画、裏再生が可能となる。
【００２７】
また、ハードディスク１１に情報を記録するためのアプリケーションフォーマットと、光ディスク２１に情報を記録する際に用いるアプリケーションフォーマットを、ともにＤＶＤ−Ｖｉｄｅｏフォーマットとしたため、装置間での互換性を持たせることができ、本考案に係るＤＶＤレコーダ１００でダビングした光ディスク２１を、他の装置で再生したりすることが可能となる。
【００２８】
さらに、図１のハードウエア構成は従来のものと全く同じであり、新たなハードウエアの追加や変更を伴うことなく上述した各機能を実現することができる。
【００２９】
以上述べた実施形態においては、光ディスク２１としてＤＶＤ−Ｒ、ＤＶＤ−ＲＡＭ、ＤＶＤ−ＲＷを例に挙げたが、本考案はＣＤ−ＲやＣＤ−ＲＷ、ＭＤなどの他のメディアに対しても適用することができる。
【００３０】
【考案の効果】
本考案によれば、再エンコードをなくすことで録画や再生が長時間不能となる事態や画質の劣化を解消できるとともに、ダビング時のフォーマット変換処理も不要となって迅速なダビングを行うことが可能となる。
【図面の簡単な説明】
【図１】本考案に係るハードディスク内蔵型ＤＶＤレコーダのブロック図である。
【図２】本考案によるダビングを説明するための模式図である。
【図３】本考案におけるハードディスクと光ディスクのシステム構成を示す図である。
【図４】ダビングの操作手順を説明する図である。
【図５】ダビングの操作手順を説明する図である。
【図６】ダビングの操作手順を説明する図である。
【図７】ダビングの操作手順を説明する図である。
【図８】従来におけるハードディスクと光ディスクのシステム構成を示す図である。
【図９】従来のダビングを説明するための模式図である。
【符号の説明】
１０　ハードディスクドライブ
１１　ハードディスク
２０　光ディスクドライブ
２１、２１ａ〜２１ｃ　光ディスク
１００　ハードディスク内蔵型ＤＶＤレコーダ
Ａ〜Ｎ　分割領域
【図１】
0003097988.tif 000003
【図２】
0003097988.tif 000004
【図３】
0003097988.tif 000005
【図４】
0003097988.tif 000006
【図５】
0003097988.tif 000007
【図６】
0003097988.tif 000008
【図７】
0003097988.tif 000009
【図８】
0003097988.tif 000010
【図９】
0003097988.tif 000011